(57)【要約】【課題】優先度の高いデータを優先して伝送するとともに、優先度が低いデータについてもデータ伝送性能低下を抑えることができるＬＡＮ伝送装置を得る。【解決手段】情報端末２００から送信されるデータを受信回路１０１により受信し、この受信されたデータのデータ量をデータ量測定部１０３により測定し、測定されたデータ量に基づき優先度判定部１０４により優先度を決定した上、データ処理部１０５により受信したデータのプロトコルヘッダ部分に優先度情報を付加して、送信回路１０６によりＩＰ網に送信して、ＩＰ網の伝送機器により、優先度情報に基づきデータを送信するようにした。【選択図】        図１
2005033240.tif 000002
【特許請求の範囲】
【請求項１】
第一の情報端末から送信されるデータを受信する受信回路、この受信回路により受信されたデータのデータ量を測定するデータ量測定部、このデータ量測定部によって測定された受信データ量に応じて優先度を決定する優先度判定部、この優先度判定部により決定された優先度を上記受信されたデータに付加するデータ処理部、及びこのデータ処理部によって優先度が付加されたデータをＬＡＮを介して送信する送信回路を備えたことを特徴とするＬＡＮ伝送装置。
【請求項２】
上記送信回路が接続された送信側のＬＡＮ上のデータを受信するＬＡＮ受信回路、及びこのＬＡＮ受信回路によって受信された上記ＬＡＮ上のデータのデータ量を測定するＬＡＮデータ量測定部を備え、上記優先度判定部は、上記ＬＡＮデータ量測定部により測定されたＬＡＮ上のデータ量を上記優先度の決定に用いることを特徴とする請求項１記載のＬＡＮ伝送装置。
【請求項３】
上記送信回路により送信されるデータは、第二の情報端末宛てに送信され、上記第二の情報端末の前段には他のＬＡＮ伝送装置が配置され、上記他のＬＡＮ伝送装置は、上記第二の情報端末から送信されるデータを受信する受信回路とこの受信回路により受信されたデータのデータ量を測定するデータ量測定部とを有し、上記データ量測定部により測定された受信データ量から自装置の受信状態を示す情報を作成して送信するように構成され、上記送信回路が接続された送信側のＬＡＮ上のデータを受信するＬＡＮ受信回路、及びこのＬＡＮ受信回路によって受信されたデータから上記他のＬＡＮ伝送装置から送信される上記他のＬＡＮ伝送装置の受信状態を示す情報を抽出する相互受信状態検出部を備え、上記優先度判定部は、上記相互受信状態検出部により抽出された上記他のＬＡＮ伝送装置の受信状態を示す情報を上記優先度の決定に用いることを特徴とする請求項１記載のＬＡＮ伝送装置。
【請求項４】
上記送信回路により送信されるデータは、第二の情報端末宛てに送信され、上記第二の情報端末の前段には他のＬＡＮ伝送装置が配置され、上記他のＬＡＮ伝送装置は、上記第二の情報端末から送信されるデータを受信する受信回路とこの受信回路により受信されたデータのデータ量を測定するデータ量測定部と自装置の送信側のＬＡＮ上のデータを受信するＬＡＮ受信回路とこのＬＡＮ受信回路によって受信された上記ＬＡＮ上のデータのデータ量を測定するＬＡＮデータ量測定部とを有し、上記データ量測定部により測定された受信データ量から自装置の受信状態を示す情報を作成すると共に上記ＬＡＮデータ量測定部により測定されたＬＡＮ上のデータ量から自装置の送信側のＬＡＮ上のデータ伝送状況を作成して送信するように構成され、上記送信回路が接続された送信側のＬＡＮ上のデータを受信するＬＡＮ受信回路、及びこのＬＡＮ受信回路によって受信されたデータには上記他のＬＡＮ伝送装置から送信される上記他のＬＡＮ伝送装置の受信状態を示す情報及び上記他のＬＡＮ伝送装置の送信側のＬＡＮ上のデータ伝送状況が含まれ、上記データから上記他のＬＡＮ伝送装置の受信状態を示す情報及び上記他のＬＡＮ伝送装置の送信側のＬＡＮ上のデータ伝送状況を抽出する相互受信状態検出部を備え、上記優先度判定部は、上記相互受信状態検出部により抽出された上記他のＬＡＮ伝送装置の受信状態を示す情報及び上記他のＬＡＮ伝送装置の送信側のＬＡＮ上のデータ伝送状況を上記優先度の決定に用いることを特徴とする請求項２記載のＬＡＮ伝送装置。
【請求項５】
情報端末から送信されるデータを受信可能な受信回路、この受信回路により受信されたデータのデータ量を測定するデータ量測定部、ＬＡＮ上のデータを受信可能なＬＡＮ受信回路、このＬＡＮ受信回路によって受信されたデータから他のＬＡＮＮ伝送装置の受信状態を示す情報を抽出する相互受信状態検出部、上記データ量測定部によって測定された受信データ量と上記相互受信状態検出部で抽出された受信状態情報に基づいてデータ送信の優先度を決定する優先度判定部、この優先度判定部により決定された優先度を上記受信回路で受信されたデータに付加するデータ処理部、及びこのデータ処理部によって優先度が付加されたデータを上記ＬＡＮを介して送信可能な送信回路を備えたことを特徴とするＬＡＮ伝送装置。
【発明の詳細な説明】
【０００１】
【発明の属する技術分野】
この発明は、データ量及び伝送状況に応じてデータの伝送優先度を適切に設定することができるＬＡＮ（Ｌｏｃａｌ  Ａｒｅａ  Ｎｅｔｗｏｒｋ）伝送装置に関するものである。
【０００２】
【従来の技術】
従来のＬＡＮ伝送装置においては、共通の伝送媒体上において複数の端末から非同期に送信されるデータをデータの重要度にかかわらず、均等に多重して伝送している。
また、例えば、特許文献１に示されるように、情報端末が接続されるポート（接続口）、またはデータのプロトコルヘッダ内の情報、あるいは送信元や送信先を識別するアドレス情報を元に、データの優先度を判定し、優先度の高いデータを格納する優先データ処理待ちレベルキューと優先度の低いデータを格納する非優先データ処理待ちレベルキューとを有し、優先データ処理待ちレベルキューに格納された優先度の高いリアルタイム性を要するデータを優先して伝送している。
【０００３】
【特許文献１】
特開平７−２７３７８９号公報（段落番号００４２〜００５３、図６）
【０００４】
【発明が解決しようとする課題】
従来のＬＡＮ伝送装置では、以上のように構成されているため、各端末からのデータの合計が伝送機器の容量を越えてしまう場合、システム上のデータの重要度にかかわらず伝送できないデータが廃棄されてしまう問題があった。
また、この問題を解決するために、特許文献１のように、端末側でデータの重要度に応じて優先して情報端末が接続されるポート（接続口）、またはデータのプロトコルヘッダ内の情報、あるいは送信元や送信先を識別するアドレス情報を元に、データの優先度を判定し、優先度の高いリアルタイム性を要するデータを優先して伝送するものでは、装置が予め持っている優先度設定情報に基づき、常時、一定の帯域を占有して伝送するため、優先度の低いポートの伝送性能が低下するという問題があった。
【０００５】
この発明は、上記のような問題点を解決するためになされたものであり、優先度の高いデータを優先して伝送するとともに、優先度が低いデータについてもデータ伝送性能低下を抑えることができるＬＡＮ伝送装置を得ることを目的とする。
【０００６】
【課題を解決するための手段】
この発明に係わるＬＡＮ伝送装置においては、第一の情報端末から送信されるデータを受信する受信回路、この受信回路により受信されたデータのデータ量を測定するデータ量測定部、このデータ量測定部によって測定された受信データ量に応じて優先度を決定する優先度判定部、この優先度判定部により決定された優先度を受信されたデータに付加するデータ処理部、及びこのデータ処理部によって優先度が付加されたデータをＬＡＮを介して送信する送信回路を備えたものである。
【０００７】
【発明の実施の形態】
実施の形態１．
以下、この発明の実施の形態１を図に基づいて説明する。
図１は、この発明の実施の形態１によるＬＡＮ伝送装置を示す構成図である。
図１において、ＬＡＮ伝送装置１００Ａは、受信回路１０１、１０２で受信したデータをデータ処理部１０５へ送信すると同時にデータ量を測定するデータ量測定部１０３に送信する。データ量測定部１０３では、受信データ量を測定し、その結果を優先度判定部１０４に伝える。データ量を受信した優先度判定部１０４では、データ量に応じ、優先すべき度合いを判定し、その結果をデータ処理部１０５へ伝える。データ処理部１０５は、受信回路１０１、１０２から送られてきた受信データ毎のプロトコルヘッダ部に、優先度判定部１０４から伝えられた優先度合いに応じたヘッダ情報を書き込み、送信回路１０６へ送信する。送信回路１０６は、データ処理部１０５から送られてきた受信データをＩＰ網へ送信する。
【０００８】
図２は、この発明の実施の形態１によるＬＡＮ伝送装置を用いたＬＡＮ伝送システムを示す構成図である。
図２において、情報端末２００（第一の情報端末）に接続されたＬＡＮ伝送装置１００Ａ、１００Ｂ、１００Ｃは、ＬＡＮ２０５を介してＩＰ（Ｉｎｔｅｒｎｅｔ  Ｐｒｏｔｏｃｏｌ）網２０１に接続され、さらにＩＰ網２０１を介してＬＡＮ２０２に接続され、ＬＡＮ２０２に接続された情報端末２０３、２０４（第二の情報端末）に接続される。ＩＰ網２０１にはルータなどの伝送機器３００が配置されている。
なお、実施の形態１では、ＬＡＮ伝送装置１００Ａについて説明し、ＬＡＮ伝送装置１００Ｂについては実施の形態２で、ＬＡＮ伝送装置１００Ｃについては、実施の形態３でそれぞれ説明する。情報端末２０３、２０４に接続されたＬＡＮ伝送装置１００Ｃは、実施の形態１、実施の形態２では、必ずしも接続される必要はない。
図３は、この発明の実施の形態１によるＬＡＮ伝送装置のデータ量に応じた優先度判断基準を示す図である。
図３では、受信データ量に応じた伝送帯域幅により、優先度が判定される。
【０００９】
図４は、この発明の実施の形態１によるＬＡＮ伝送装置が接続されたＩＰ網内の伝送機器を示す構成図であり、このＩＰ網内の伝送機器により優先制御を実施する。
図４において、ＩＰ網２０１を構成するルータなどの伝送機器３００は、受信データ解析部３０１で、受信回路３０５により受信された受信データのプロトコルヘッダ内の優先度情報に基づき、優先度「高」のものは優先処理用バッファ３０２へ、優先度「低」のものは非優先処理用バッファ３０３へ受信データを伝送する。各々のバッファへ送信されたデータはデータ送信部３０４により、送信される。
【００１０】
次に、動作について、図２〜図４を参照して説明する。
図２において、情報端末２００からデータが送信され、ＬＡＮ伝送装置１００Ａで受信される。具体的にはＬＡＮ伝送装置１００Ａは、受信回路１０１でデータを受信する。データを受信した受信回路１０１は、通常のデータ伝送の処理としてデータ処理部１０５へデータを送信する。また、受信回路１０１は、同時にデータ量測定部１０３へ受信データを送信する。データ量測定部１０３では、受信データのデータ量を測定し、測定結果を優先度判定部１０４に伝える。優先度判定部１０４においては、例えば図３に示されるような優先度判定対応テーブルに基づき、データ量が多いときは優先度を高く、標準であれば中程度に、データ量が少なければ低にするように、データ量に応じた優先度を決定し、この結果をデータ処理部１０５へ伝える。データ処理部１０５では、受信回路１０１から受信したデータ毎にプロトコルヘッダ部を取出し、このプロトコルヘッダ部に優先度判定部１０４から伝えられた優先度情報を付加した上、再度データ部分と結合した上で、送信回路１０６に送信する。送信回路１０６は、データ処理部１０５から送られてきた受信データをＬＡＮ２０５を介してＩＰ網２０１に送信する。
【００１１】
このようにして、本発明のＬＡＮ伝送装置１００Ａから送られてきたデータを受信したＩＰ網２０１では、例えば特許文献１で説明した従来の技術で用いられているものと同様にして優先伝送を実施する。この動作を図４を用いて説明する。
ＩＰ網２０１を構成するルータなどの伝送機器３００は、受信データ解析部３０１で受信データのプロトコルヘッダ内の優先度情報に基づき、優先度「高」のものは優先処理用バッファ３０２へ、優先度「低」のものは非優先処理用バッファ３０３へ伝送される。各々のバッファへ送信されたデータは、データ送信部３０４により、優先処理バッファ３０２から順番にデータを取り出し、相手側へ送信し、優先処理バッファ３０２が空になってから非優先処理用バッファ３０３からデータを取り出す動作が行われる。
この際、小さなデータでも優先して送信する必要があるため、優先処理バッファ３０２を定期的にチェックする必要があるが、優先データがない場合や少量しかない場合でも、この動作を行うため、その間非優先処理バッファ３０３のデータの処理が遅れてしまう。
本発明のＬＡＮ伝送装置１００Ａから送られてくる優先度情報付きデータは、データ量が少ないときは優先度を下げるようにするため、その分、ＩＰ網内伝送機器３００の非優先処理用バッファ３０３に割り当てられるデータが増え、したがって非優先処理用バッファ３０３からの伝送帯域が増え、優先度の低いバッファからの伝送性能低下を防ぐことができることになる。
このように優先制御されたデータは、最終的にＬＡＮ２０２を経由して対向先である情報端末２０４へ送信される。
【００１２】
以上のように、実施の形態１によれば、受信するデータ量に応じてデータの優先処理のための優先度情報を変化させるように構成したので、従来の技術で構成されるＩＰ網において、重要な情報を優先して伝送し、廃棄や遅延を防ぐとともに、非優先情報の伝送性能低下を最低限に抑え、より効率的なデータ伝送が可能になる。
【００１３】
実施の形態２．
実施の形態１では、情報端末２００から受信するデータ量を測定することで優先度判定を行ったが、実施の形態２は、これに加えて送信先であるＬＡＮ２０５の状況に応じて付加する優先度情報をより適切なものにするようにしたものである。
図５は、この発明の実施の形態２によるＬＡＮ伝送装置を示す構成図である。
図５において、ＬＡＮ伝送装置１００Ｂは、図１の構成に加え、ＬＡＮ受信回路１０７を追加してデータ送信先のＬＡＮ２０５上のデータを受信し、同じく追加したＬＡＮデータ量測定部１０８へ送信する。このＬＡＮ受信回路１０７には、ＬＡＮ２０５を流れるデータが、自装置宛てや他装置宛ての識別に係わらず全て入力される。ＬＡＮデータ量測定部１０８では、ＬＡＮ２０５上で送受信されているデータ量を測定し、現在のＬＡＮ２０５の状態がその伝送容量に対してどの程度の負荷となっているかを算出し、結果を優先度判定部１０４−１に伝える。
【００１４】
優先度判定部１０４−１は、実施の形態１で説明した図１内の優先度判定部１０４の機能に加え、ＬＡＮデータ量測定部１０８からのＬＡＮ２０５の負荷情報を入力するよう構成される。優先度判定部１０４−１は、受信データのデータ量とＬＡＮ２０５の負荷情報から総合的な優先度情報を算出し、データ処理部１０５へ伝える。
ＬＡＮ２０５上の負荷がその伝送容量に対して高い場合は、複数端末間の競合によりデータの衝突や伝送機器によるデータ廃棄などによりデータが紛失する確率が高くなる。このような場合には優先度判定部１０４−１では情報端末２００からデータ量が少ない場合でも優先度を高く設定するように動作し、高負荷のＬＡＮ２０５上でも重要データを優先して伝送することが可能となる。
【００１５】
実施の形態２によれば、送信先であるＬＡＮの負荷情報を測定し、これを用いて、データに付加する優先度情報をより適切なものにすることができる。
【００１６】
実施の形態３．
実施の形態２では、送信先であるＬＡＮの状況に応じて付加する優先度情報をより適切なものにするよう構成したが、実施の形態３は、これに換えて、送信相手である情報端末２０３、２０４の前段にも本発明のＬＡＮ伝送装置１００Ｃを設置し、ＬＡＮ伝送装置間でデータ受信の状況を示す相互受信状態情報を相互にやり取りし、送信データに付加する優先度情報をより適切なものにするようにしたものである。
【００１７】
図６は、この発明の実施の形態３によるＬＡＮ伝送装置を示す構成図である。
図６において、ＬＡＮ伝送装置１００Ｃは、図１の構成に加え、ＬＡＮ受信回路１０７を追加してＬＡＮ２０５上のデータを受信し、同じく追加した相互受信状態検出部１０９へ送信する。相互受信状態検出部１０９は、相手先のＬＡＮ伝送装置１００Ｃから送信される受信状態を示す情報である相互受信状態情報を抽出し、これを優先度判定部１０４−２に伝える。ＬＡＮデータ量測定部１０８は、必ずしも備える必要はなく、その説明については後述する。
優先度判定部１０４−２は、実施の形態１で説明した図１内の優先度判定部１０４の機能に加え、相互受信状態検出部１０９からの相互受信状態情報が入力される。優先度判定部１０４−２は、受信データのデータ量と他のＬＡＮ伝送装置から受信した相互受信状態情報とから総合的な優先度情報を算出し、データ処理部へ伝える。
相互受信状態情報により、データの伝送遅延が大きくなっている場合やデータ抜けなどが発生するようなＩＰ網２０１の状態が高負荷と判断される場合には、優先度判定部１０４−２では、情報端末２００からのデータ量が少ない場合でも優先度を高く設定するように動作し、高負荷のＬＡＮ上でも重要データを優先して伝送することが可能となる。
【００１８】
実施の形態３によれば、送信先である情報端末２０３、２０４の前段にもＬＡＮ伝送装置を配置し、送信側受信側のＬＡＮ伝送装置間で相互受信状態情報を相互にやり取りし、これを用いて、データに付加する優先度情報をより適切なものにすることができる。
【００１９】
なお、実施の形態２と実施の形態３は、１台の装置の中で同時に実施することが可能である。この場合は、双方にＬＡＮデータ量測定部１０８及び相互受信状態検出部１０９を配置したＬＡＮ伝送装置を用い、相互受信状態情報に加えて、図６の点線で示されるように、ＬＡＮデータ量測定部１０８で測定された送信先のＬＡＮのデータ伝送状況を相互に送信することで、相互に送信先のＬＡＮのデータ伝送状況が把握でき、重要データの紛失を防ぐ効果をより高くすることが可能である。
【００２０】
【発明の効果】
この発明は、以上説明したように、第一の情報端末から送信されるデータを受信する受信回路、この受信回路により受信されたデータのデータ量を測定するデータ量測定部、このデータ量測定部によって測定された受信データ量に応じて優先度を決定する優先度判定部、この優先度判定部により決定された優先度を受信されたデータに付加するデータ処理部、及びこのデータ処理部によって優先度が付加されたデータをＬＡＮを介して送信する送信回路を備えたので、受信するデータ量に応じてデータの優先度情報を変化させ、重要な情報を優先して伝送すると共に、非優先情報の伝送性能低下を最低限に抑えるようにしたデータ伝送が可能になる。
【図面の簡単な説明】
【図１】この発明の実施の形態１によるＬＡＮ伝送装置を示す構成図である。
【図２】この発明の実施の形態１によるＬＡＮ伝送装置を用いたＬＡＮ伝送システムを示す構成図である。
【図３】この発明の実施の形態１によるＬＡＮ伝送装置のデータ量に応じた優先度判断基準を示す図である。
【図４】この発明の実施の形態１によるＬＡＮ伝送装置が接続されたＩＰ網内の伝送機器を示す構成図である。
【図５】この発明の実施の形態２によるＬＡＮ伝送装置を示す構成図である。
【図６】この発明の実施の形態３によるＬＡＮ伝送装置を示す構成図である。
【符号の説明】
１００Ａ，１００Ｂ，１００Ｃ  ＬＡＮ伝送装置、
１０１，１０２  受信回路、１０３  データ量測定部、１０４  優先度判定部、
１０５  データ処理部、１０６  送信回路、１０７  ＬＡＮ受信回路、
１０８  ＬＡＮデータ量測定部、１０９  相互受信状態検出部、
２００  情報端末、２０１  ＩＰ網、２０２，２０５  ＬＡＮ、
２０３，２０４  情報端末、３００  伝送機器、３０１  受信データ解析部、
３０２  優先処理用バッファ、３０３  非優先処理用バッファ、
３０４  データ送信部、３０５  受信回路。
【図１】
2005033240.tif 000003
【図２】
2005033240.tif 000004
【図３】
2005033240.tif 000005
【図４】
2005033240.tif 000006
【図５】
2005033240.tif 000007
【図６】
2005033240.tif 000008